(57)【要約】  ゴミなどを除去してカメラで得られる画像を鮮明にすることが可能なアンテナ装置などを提供する。  アンテナ装置１は、アンテナ素子３１を有するアンテナ部３と、カメラ４と、カメラ用開口２１を有しアンテナ部３とカメラ４とを覆う外装ケース２ａと、カメラに設けられた光学部材と、カメラ用開口２１の少なくとも一方がある第１領域に、噴射媒体を噴射させるウォッシャー９とを備える。ウォッシャー９における噴射部９１は、第１領域よりも高い位置に配置される。
2018199108.tif 000002
【特許請求の範囲】
【請求項１】
アンテナ素子を有するアンテナ部と、
カメラと、
カメラ用開口を有し、前記アンテナ部と前記カメラとを覆う外装ケースと、
前記カメラに設けられた光学部材と前記カメラ用開口の少なくとも一方がある第１領域に、噴射媒体を噴射させるウォッシャーとを備える、アンテナ装置。
【請求項２】
前記ウォッシャーにおける噴射部は、前記第１領域よりも高い位置に配置される、請求項１に記載のアンテナ装置。
【請求項３】
前記噴射部は、前記噴射媒体が前記カメラ用開口の全面に吹き付けられるように噴射する、請求項２に記載のアンテナ装置。
【請求項４】
上方で前記噴射部を保持し、下方で前記カメラを保持するブラケットと、
前記外装ケースの内側に配置され、前記ブラケットを介して、前記噴射部と前記カメラが取り付けられる内装ケースとを更に備える、請求項２または請求項３に記載のアンテナ装置。
【請求項５】
前記ウォッシャーにおける噴射部は、前記第１領域と同じ高さか、前記第１領域よりも低い位置に配置される、請求項１に記載のアンテナ装置。
【請求項６】
前記アンテナ素子は、前記ウォッシャーよりも高い位置に配置される、請求項５に記載のアンテナ装置。
【請求項７】
前記ウォッシャーにおける、前記噴射部と接続され前記噴射媒体が通るホースは、前記外装ケースの内側を通る、請求項５または請求項６に記載のアンテナ装置。
【請求項８】
前記噴射部は、前記外装ケースから離れて配置される、請求項５に記載のアンテナ装置。
【請求項９】
アンテナ素子を有するアンテナ部と、カメラと、カメラ用開口を有し前記アンテナ部と前記カメラとを覆う外装ケースとを有し、ルーフの上面に設けられたアンテナ装置と、
前記ルーフに設けられ、前記カメラに設けられた光学部材と前記カメラ用開口の少なくとも一方がある第１領域に、噴射媒体を噴射させるウォッシャーとを備える、車両。
【発明の詳細な説明】
【技術分野】
【０００１】
本発明は、カメラを含むアンテナ装置に関する。
【背景技術】
【０００２】
従来、特許文献１のように、カメラを含む車載アンテナ装置が提案されている。
【先行技術文献】
【特許文献】
【０００３】
【特許文献１】特開２０１６−１１６０４８号公報
【発明の概要】
【発明が解決しようとする課題】
【０００４】
しかしながら、カメラに装着されるレンズには、ゴミや汚れが付着するおそれがある。【０００５】
したがって本発明の目的は、ゴミなどを除去してカメラで得られる画像を鮮明にすることが可能なアンテナ装置などを提供することである。
【課題を解決するための手段】
【０００６】
本発明に係るアンテナ装置は、アンテナ素子を有するアンテナ部と、カメラと、カメラ用開口を有しアンテナ部とカメラとを覆う外装ケースと、カメラに設けられた光学部材とカメラ用開口の少なくとも一方がある第１領域に、噴射媒体を噴射させるウォッシャーとを備える。【０００７】
噴射部から、カメラに設けられた光学部材と、カメラ用開口の少なくとも一方がある領域（第１領域）、すなわち、カメラ本体の撮像面側に設けられた光学部材に向けて噴射媒体が噴射され、これにより当該光学部材の汚れを洗浄したり当該光学部材に付着したゴミを除去したりすることが可能になる、すなわち、カメラで得られる画像をゴミや汚れが無い鮮明な画像にすることが可能になる。【０００８】
好ましくは、ウォッシャーにおける噴射部は、第１領域よりも高い位置に配置される。【０００９】
噴射部が第１領域と比べて高い位置に配置されるので、噴射部の噴射口が下方を向くことになり、噴射口が上方を向いて配置される形態に比べて、ゴミなどが付着して目詰まりが起きにくく出来る。【００１０】
噴射部の噴射口が、第１領域と比べて高い位置に配置されるので、噴射媒体を上から当該第１領域に噴射させることが可能になる。
このため、噴射媒体が重力で下方に流れる分だけ、噴射媒体を下から上に向けて噴射させる形態に比べて、低い圧力で洗浄することが可能になる。
また、噴射部から噴射される方向と、重力に従って噴射媒体が流れる方向がほぼ一致するので、噴射媒体を下から上に向けて噴射させる形態に比べて、当該第１領域に噴射媒体が残りにくくすることも可能になる。
また、噴射部とホースとの接続位置を高い位置に配置出来るため、低い位置に配置する形態に比べて、ホースを大きく折り曲げずにアンテナ装置の内部に配線することが出来、ホースの内部で淀みが発生しにくい状態で、噴射部に噴射媒体を供給することが可能になる。【００１１】
さらに好ましくは、噴射部は、噴射媒体がカメラ用開口の全面に吹き付けられるように噴射する。【００１２】
さらに好ましくは、上方で噴射部を保持し、下方でカメラを保持するブラケットと、外装ケースの内側に配置され、ブラケットを介して、噴射部とカメラが取り付けられる内装ケースとを更に備える。【００１３】
また、好ましくは、ウォッシャーにおける噴射部は、第１領域と同じ高さか、第１領域よりも低い位置に配置される。【００１４】
噴射媒体を横から若しくは下から第１領域に噴射させることが可能になり、噴射部を第１領域よりも高い位置に配置して、噴射媒体を上から噴射させる形態に比べて、噴射媒体の経路を短くすることが可能になる。【００１５】
さらに好ましくは、アンテナ素子は、ウォッシャーよりも高い位置に配置される。【００１６】
ウォッシャーはアンテナ素子よりも下側に位置するため、噴射媒体によるアンテナ素子の干渉を抑制することが出来る。【００１７】
さらに好ましくは、ウォッシャーにおける、噴射部と接続され噴射媒体が通るホースは、外装ケースの内側を通る。【００１８】
外装ケースの外側にホースが通る形態に比べて、アンテナケーブルなどと一緒に配線しやすく出来る。【００１９】
また、好ましくは、噴射部は、外装ケースから離れて配置される。【００２０】
外装ケースから離れた位置に、ウォッシャーが設けられるので、噴射媒体によるアンテナ素子の干渉を抑制することが出来る。【００２１】
本発明に係る車両は、アンテナ素子を有するアンテナ部と、カメラと、カメラ用開口を有しアンテナ部とカメラとを覆う外装ケースとを有し、ルーフの上面に設けられたアンテナ装置と、ルーフに設けられ、カメラに設けられた光学部材とカメラ用開口の少なくとも一方がある第１領域に、噴射媒体を噴射させるウォッシャーとを備える。
【発明の効果】
【００２２】
以上のように本発明によれば、ゴミなどを除去してカメラで得られる画像を鮮明にすることが可能なアンテナ装置などを提供することができる。
【図面の簡単な説明】
【００２３】
【図１】第１実施形態におけるアンテナ装置の斜視図である。
【図２】第１実施形態におけるアンテナ装置の上面図である。
【図３】第１実施形態におけるアンテナ装置の側面図である。
【図４】第１実施形態におけるアンテナ装置の背面図である。
【図５】第１実施形態におけるアンテナ装置の下面図である。
【図６】図５のＡ−Ａ断面構成図である。
【図７】第２実施形態におけるアンテナ装置とウォッシャーの斜視図である。
【図８】第２実施形態におけるアンテナ装置とウォッシャーの側面図である。
【図９】第２実施形態におけるアンテナ装置とウォッシャーの断面構成図である。
【図１０】第２実施形態におけるアンテナ装置とウォッシャーであって外装ケースと内装ケースを省略したものの上面図である。
【図１１】第３実施形態におけるアンテナ装置の斜視図である。
【図１２】第３実施形態におけるアンテナ装置の側面図である。
【図１３】第３実施形態におけるアンテナ装置の断面構成図である。
【図１４】第３実施形態におけるアンテナ装置であって外装ケースと内装ケースを省略したものの上面図である。
【図１５】第３実施形態におけるアンテナ装置の背面図である。
【図１６】第３実施形態におけるアンテナ装置であって、外装ケースと、内装ケースと、ベースと、外装パッドが組み上げられる前の状態を示す斜視図である。
【図１７】第３実施形態におけるアンテナ装置であって、外装ケースと、ベースに取り付けられた内装ケースと、外装パッドが組み上げられる前の状態を示す斜視図である。
【図１８】第４実施形態におけるアンテナ装置の斜視図である。
【図１９】第４実施形態におけるアンテナ装置の側面図である。
【図２０】第４実施形態におけるアンテナ装置の断面構成図である。
【図２１】第４実施形態におけるアンテナ装置であって外装ケースと内装ケースを省略したものの上面図である。
【図２２】第４実施形態におけるアンテナ装置の背面図である。
【図２３】第５実施形態におけるアンテナ装置であって外装ケースと内装ケースを省略したものの上面図である。
【図２４】第５実施形態におけるアンテナ装置の背面図である。
【図２５】第６実施形態におけるアンテナ装置の断面構成図である。
【図２６】第６実施形態におけるアンテナ装置の背面図である。
【発明を実施するための形態】
【００２４】
以下、本実施形態に係る車載用アンテナ装置について、図を用いて説明する。なお、実施形態は、以下の実施形態に限られるものではない。また、一つの実施形態に記載した内容は、原則として他の実施形態にも同様に適用される。また、各実施形態及び各変形例は、適宜組み合わせることができる。
【００２５】
（第１実施形態）
第１実施形態におけるアンテナ装置１は、ルーフ１００など車両の上面に取り付けられ、アンテナケース２、アンテナ部３、カメラ４、ベース５、取付金具７、ウォッシャー９を備える（図１〜図６参照）。
【００２６】
方向を説明するために、アンテナ装置１が取り付けられる車両の前後方向をｘ方向、ｘ方向と垂直な左右方向をｙ方向、ｘ方向とｙ方向に垂直な略鉛直方向をｚ方向として説明する。図１において、ｘｙｚ軸のそれぞれの矢印が指し示す方向をそれぞれ前方向、右方向、上方向と定義する。
【００２７】
アンテナケース２は、アンテナ装置１を構成する部材を覆う部材で、外装ケース２ａ、外装パッド２ｂ、内装ケース２ｃを有する。
外装ケース２ａと内装ケース２ｃとで、いわゆる二重ケース構造となっており、内装ケース２ｃとベース５とカメラ４のカメラ本体４１とウォッシャー９の噴射部９１とで、少なくともベース５の上面における内装ケース２ｃに覆われる部分の防水が確保される。
【００２８】
外装ケース２ａは、非透光性と電波透過性を有する合成樹脂製（ポリカーボネート（Polycarbonate）とＡＳＡ（Acrylate Styrene Acrylonitrile）を含む合成樹脂などで形成された樹脂成型品）であり、例えば、ｘ方向前側がｘ方向後側よりも低くなるように傾斜し、両側面が内側に湾曲したシャークフィン形状を有する。
外装ケース２ａは、下面が開口し、アンテナ装置１を構成する部材であって、外装ケース２ａ以外のもの（内装ケース２ｃ、アンテナ部３、カメラ４、ウォッシャー９など）を、ｚ方向上方から覆う。
【００２９】
外装ケース２ａには、内壁からｚ方向下方に突出するように、ベース５への取り付け用の第１係止爪２ａ１が設けられ、外装ケース２ａをベース５に固定する際に、第１係止爪２ａ１は、ベース５に設けられた第２係止爪５ａと係合する。
【００３０】
外装ケース２ａの背面には、レンズ４３に光を入射させて、車両の後方を撮影するため、後述するカメラ本体４１におけるレンズ４３及びその近傍を覆わないように、カメラ用開口２１が設けられる。
【００３１】
カメラ用開口２１は、外装ケース２ａの背面における左右略中心を通るｘｚ平面上に設けられる。
カメラ用開口２１が、外装ケース２ａの背面における左右略中心を通るｘｚ平面上を通る位置関係に配置されるため、当該左右略中心から撮影が可能になり、左右のバランスが取れた状態で広範囲の画像を撮影することが可能になる。
また、カメラ用開口２１が、外装ケース２ａの背面における左右略中心からずれたｘｚ平面上を通る位置関係に配置される形態に比べて、外装ケース２ａの背面における左右略中心を通るｘｚ平面上にカメラ本体４１など大きな部材を配置出来るので、アンテナ装置１を低背化しやすい。
【００３２】
また、外装ケース２ａの背面であって、カメラ用開口２１よりもｚ方向上方には、ウォッシャー用開口２２が設けられる。
【００３３】
外装パッド２ｂは、エラストマー（Elastomer）やゴムなどで形成された環状の弾性部材であり、外装ケース２ａの下端周縁部に嵌入され、外装ケース２ａの下端周縁部と車両との間の隙間の目隠し、及び外装ケース２ａの内部に水を浸入しにくくする（止水する）部材として機能する。
【００３４】
内装ケース２ｃは、下面と背面が開口し、アンテナ部３におけるアンテナ素子３１やアンテナ基板３３と、カメラ４におけるカメラケーブル４５の一部（カメラ本体４１と接続される部分とベース開口５ｂに挿入される部分の間の領域）を、ｚ方向上方から覆う。
【００３５】
内装ケース２ｃの背面における開口した部分の下方には、ブラケット２ｃ１やカメラ本体取り付け用のパッキンなどを介して、カメラ４のカメラ本体４１が取り付けられ、当該ブラケット２ｃ１やカメラ本体取り付け用のパッキンによって、内装ケース２ｃとカメラ４のカメラ本体４１との間が密閉される。
カメラ４のカメラ本体４１は、カメラ本体４１の先端（ｘ方向後側）に設けられたカバー４７がカメラ用開口２１の端部と接するような位置関係で、内装ケース２ｃに取り付けられる。
【００３６】
内装ケース２ｃの背面における開口した部分の上方には、ブラケット２ｃ１や噴射部取り付け用のパッキンなどを介して、ウォッシャー９の噴射部９１が取り付けられ、当該ブラケット２ｃ１や噴射部取り付け用のパッキンによって、内装ケース２ｃとウォッシャー９の噴射部９１との間が密閉される。
ウォッシャー９の噴射部９１は、噴射部９１の先端における噴射口９１ａが設けられた領域が外装ケース２ａの背面からｘ方向後側に露出するような位置関係で、内装ケース２ｃに取り付けられる。
【００３７】
ブラケット２ｃ１は、カメラ本体４１と噴射部９１の側面の少なくとも一部を覆ってこれらを保持する。
第１実施形態では、カメラ本体４１を内装ケース２ｃに取り付けるためのブラケットと、噴射部９１を内装ケース２ｃに取り付けるためのブラケットとが、ブラケット２ｃ１として、一体的に構成される形態を説明するが、それぞれのブラケットが別体で構成される形態であってもよい。
【００３８】
内装ケース２ｃは、非透光性と電波透過性を有する合成樹脂製（ポリカーボネート（Polycarbonate）とＡＳＡ（Acrylate Styrene Acrylonitrile）を含む合成樹脂などで形成された樹脂成型品）である。
内装ケース２ｃの下端部には、ベース５とネジ止めするために使用されるネジ孔が設けられる。
【００３９】
アンテナ部３は、アンテナ素子３１、アンテナ基板３３、アンテナケーブル３５を有する。
【００４０】
アンテナ素子３１は、衛星放送受信用やＧＰＳ受信用やデジタル放送受信用の平面アンテナなどで構成される形態であってもよいし、ＡＭ／ＦＭ放送の受信用に容量装荷素子などの上部エレメントと波長短縮素子などの下部エレメントとで構成される形態であってもよいし、Ｖ２Ｘ（車車間・路車間通信）用や通信端末用のアンテナなどで構成される形態であってもよく、アンテナ基板３３などを介してベース５に取り付けられる。
第１実施形態では、ベース５にアンテナ基板３３が取り付けられ、無給電素子が上面に配置され、受信周波数が２．４ＧＨｚであるパッチアンテナを含むアンテナ素子３１がアンテナ基板３３に実装される形態を説明するが、アンテナ素子３１は、内装ケース２ｃ若しくは外装ケース２ａの内壁に取り付けられる形態であってもよい。
【００４１】
アンテナケーブル３５は、アンテナ基板３３に設けられたアンテナアンプに電力を供給したり、アンテナ素子３１で得られた信号を出力したりするために使用される。
アンテナ基板３３から延びるアンテナケーブル３５は、ベース開口５ｂ、第１開口１０１を通って、ルーフ１００のｚ方向下方に延びる。
【００４２】
カメラ４は、ＣＭＯＳなどの撮像素子を含むカメラ本体４１、レンズ４３、カメラケーブル４５、カバー４７を有する。
カメラ４は、カメラ本体４１における撮像素子の撮像面が車両の後方を向くように配置される。
カメラ本体４１で得られる画像信号は、動画像に対応するものであっても静止画像に対応するものであってもよい。
カメラ本体４１における、回路基板や撮像素子を保持すると共に、レンズ４３が設けられる略ｘ方向後側以外を覆う筐体は、シールド導体を兼ねた金属（例えば、アルミニウム）で構成される。
【００４３】
カメラ本体４１の略ｘ方向後側には、撮像素子の撮像面と対向するようにレンズ４３が設けられる。
カメラ用開口２１を介して、カメラ本体４１のレンズ４３に当該後方からの光が入射する。
【００４４】
後述するウォッシャー９の噴射部９１から、カメラ本体４１の先端（ｘ方向後側端）に設けられた光学部材（カバー４７、レンズ）と、カメラ用開口２１の少なくとも一方がある領域（第１領域）に向けて、噴射媒体が噴射される。
【００４５】
カメラ本体４１に電力や制御信号を供給したり、カメラ本体４１で得られた画像信号を出力したりするために使用されるカメラケーブル４５は、カメラ本体４１の略ｘ方向前側から、内装ケース２ｃ、ベース開口５ｂを通って、ルーフ１００のｚ方向下方に延びる。
【００４６】
カメラ本体４１から延びるカメラケーブル４５は、撮像素子の撮像面に垂直な略ｘ方向で且つ略ｘ方向前側に直線的に延び、ベース開口５ｂの上方近傍でｚ方向下方に折り曲げられてｚ方向下方に延びる。
【００４７】
レンズ４３の略ｘ方向後側と側面を覆う領域には、レンズ４３の保護のため、透光性を有する合成樹脂で形成されたカバー４７が設けられる。
ブラケット２ｃ１若しくはカメラ本体４１とで、カバー４７がレンズ４３を密閉するように、カバー４７は、ブラケット２ｃ１若しくはカメラ本体４１に、着脱可能な状態で取り付けられる。
すなわち、カメラ用開口２１とレンズ４３の間に、カバー４７が配置される。
【００４８】
なお、レンズ４３がカバー４７で覆われる形態を説明するが、カメラ用開口２１がカバー４７で覆われる形態や、カメラ用開口２１とレンズ４３がカバー４７で覆われる形態であってもよい。
また、カバー４７は、ブラケット２ｃ１若しくはカメラ本体４１に取り付けられる形態に限らず、外装ケース２ａ（の内壁など）に取り付けられる形態であってもよい。
また、カバー４７が、光を屈折させて発散または収束させるレンズの一部として機能する形態であってもよい。
また、カメラ本体４１が防水仕様になっている場合など、カメラ本体４１等に影響が少なければ、カバー４７を設けない形態であってもよい。
【００４９】
ベース５は、アルミニウム等の金属製ベースで、略矩形形状を有する。
ベース５は、外装ケース２ａの第１係止爪２ａ１と係合して外装ケース２ａを係止する第２係止爪５ａを外周部に有する。
【００５０】
ベース５の上面には、アンテナ基板３３と内装ケース２ｃが取り付けられる。
ベース５には、ベース開口５ｂが設けられ、アンテナケーブル３５とカメラケーブル４５とホース９２は、ベース開口５ｂを通って、アンテナ装置１からルーフ１００のｚ方向下方に延びる。
【００５１】
カメラ本体４１は、不図示のアースプレートを介して、ベース５に接続され、カメラ本体４１が接地される。
カメラ本体４１とベース５とのアース接続は、ブラケット２ｃ１若しくはカメラケーブル４５を介して行われる形態であってもよい。
【００５２】
なお、ベース５が樹脂で構成される形態であってもよい。
この場合、ベース５が金属で構成される形態に比べて、軽量化や低コスト化を実現しやすくなる。
また、ベース５が樹脂で構成される場合、カメラ本体４１の接地は、カメラケーブル４５の一部をルーフ１００に接続する、若しくは、プレート（不図示）を使ってカメラ本体４１の外部に設けられた基板（不図示）と接続することにより行われる。
【００５３】
車両のルーフ１００には、ベース５からｚ方向下方に延びるボルトなど取付部材とアンテナケーブル３５とカメラケーブル４５とホース９２が通る第１開口１０１が設けられる。
ベース５のルーフ１００の上面への固定は、キャプチャーファスナーや爪付きワッシャーやナットなどの取付金具７を使って行われる。
【００５４】
ウォッシャー９は、噴射媒体を、カメラ本体４１の先端（ｘ方向後側端）に設けられた光学部材（カバー４７、レンズ４３）と、カメラ用開口２１の少なくとも一方がある領域（第１領域）に向けて噴射させる装置で、噴射部９１と、タンク（不図示）と、ポンプ（不図示）と、ホース９２を有する。
噴射媒体は、水や洗浄液などの液体と、空気などの気体の少なくとも一方を含む。
【００５５】
噴射部９１は、カメラ本体４１よりも高さが高い位置に配置される。
噴射部９１は、カメラ本体４１の先端（ｘ方向後側端）に設けられた光学部材（カバー４７、レンズ４３）と、カメラ用開口２１の少なくとも一方がある領域、すなわち噴射媒体が噴射される領域よりも高さが高い位置に配置される。
噴射部９１の先端における噴射口９１ａが設けられた領域が、外装ケース２ａの背面であってカメラ用開口２１よりもｚ方向上方に設けられたウォッシャー用開口２２からｘ方向後側に突出し、噴射口９１ａがｚ方向下方で且つ第１領域に向くように、噴射部９１が内装ケース２ｃの背面に取り付けられる。
【００５６】
カメラ用開口２１の全面に、噴射媒体が吹き付けられるように、すなわち、カメラ用開口２１の全面を含み当該全面よりも広い領域に噴射媒体が吹き付けられるように、噴射口９１ａとカメラ本体４１の位置関係などが決定される。
【００５７】
タンクは、液体と気体の少なくとも一方で構成された噴射媒体を保管する。
ポンプは、当該タンクから噴射媒体を汲み出す。
ホース９２は、噴射部９１と接続され、当該ポンプによって汲み出された噴射媒体が通る。
ホース９２は、柔軟性がある樹脂、或いは、硬質な樹脂、或いは、これらの組み合わせで構成される。
【００５８】
また、カメラ４で撮像され、映像出力装置（不図示）で出力される画像に、噴射部９１の噴射口９１ａなどが映り込まないように、噴射部９１とカメラ４の位置関係、カメラ４の画角、映像出力装置で表示する画像領域などが決定される。
【００５９】
噴射部９１から、カメラ本体４１の先端（ｘ方向後側端）に設けられた光学部材（カバー４７、レンズ）と、カメラ用開口２１の少なくとも一方がある領域（第１領域）、すなわちカバー４７（カバー４７が無い場合はレンズ４３）など、カメラ本体４１の撮像面側に設けられた光学部材に向けて噴射媒体が噴射され、これにより当該光学部材の汚れを洗浄したり当該光学部材に付着したゴミを除去したりすることが可能になる、すなわち、カメラ４で得られる画像をゴミや汚れが無い鮮明な画像にすることが可能になる。
【００６０】
カバー４７が設けられている場合には、カバー４７によって、カメラ本体４１やレンズ４３に噴射部９１から高圧の噴射媒体が当たらないため、カメラ本体４１やレンズ４３に直接噴射媒体が当たって、カメラ本体４１やレンズ４３が傷ついたり、噴射媒体がカメラ本体４１に浸入したりするのを防ぐことが出来る。
また、カバー４７は、着脱可能な状態で、カメラ本体４１に取り付けられるので、既存のカバー４７が傷ついたり汚れたりした場合などに、当該既存のカバー４７を新しいカバー４７に取り替えることも可能である。
【００６１】
また、噴射部９１が第１領域と比べて高い位置に配置されるので、噴射部９１の噴射口９１ａが下方を向くことになり、噴射口９１ａが上方を向いて配置される形態に比べて、ゴミなどが付着して目詰まりが起きにくく出来る。
【００６２】
噴射部９１の噴射口９１ａが、カメラ本体４１の先端（ｘ方向後側端）に設けられた光学部材（カバー４７、レンズ４３）と、カメラ用開口２１の少なくとも一方がある領域（第１領域）と比べて高い位置に配置されるので、噴射媒体を上から当該第１領域に噴射させることが可能になる。
このため、噴射媒体が重力でｚ方向下方に流れる分だけ、噴射媒体を下から上に向けて噴射させる形態に比べて、低い圧力で洗浄することが可能になる。
また、噴射部９１から噴射される方向と、重力に従って噴射媒体が流れる方向がほぼ一致するので、噴射媒体を下から上に向けて噴射させる形態に比べて、当該第１領域に噴射媒体が残りにくくすることも可能になる。
また、噴射部９１とホース９２との接続位置を高い位置に配置出来るため、低い位置に配置する形態に比べて、ホース９２を大きく折り曲げずにアンテナ装置１の内部に配線することが出来、ホース９２の内部で淀みが発生しにくい状態で、噴射部９１に噴射媒体を供給することが可能になる。
【００６３】
また、噴射媒体として、温めた状態の液体若しくは気体を使えば、当該第１領域が凍結していても、これを早期に融解させることが出来る。
【００６４】
なお、第１実施形態では、アンテナ素子３１がｘ方向前側に配置され、カメラ本体４１がｘ方向後側に配置され、カメラ本体４１よりもｚ方向上方にウォッシャー９の噴射部９１が配置される形態を説明したが、アンテナ素子３１とカメラ本体４１の位置関係はこれに限るものではなく、例えば、アンテナ素子３１がｘ方向後側に配置され、撮像素子の撮像面が車両の前方を向くカメラ本体４１がｘ方向前側に配置される形態であってもよい。
この場合も、ウォッシャー９の噴射部９１は、カメラ本体４１よりもｚ方向上方に配置される。
【００６５】
また、第１実施形態では、アンテナ素子３１を含むアンテナ装置１を例として、アンテナ装置１のアンテナケース２に、カメラ４のカメラ本体４１が設けられ、且つ第１領域と比べて高い位置関係でウォッシャー９の噴射部９１が設けられる形態を説明したが、アンテナ素子３１を含まない車載撮影装置（例えば、車載後方撮影装置）のケースに、カメラ本体４１が設けられ、且つ第１領域と比べて高い位置関係で噴射部９１が設けられる形態であってもよい。
【００６６】
この場合でも、第１領域（カメラ本体４１の先端（ｘ方向後側端）に設けられた光学部材（カバー４７、レンズ４３）と、カメラ用開口２１の少なくとも一方がある領域に上方から噴射媒体を吹き付けることが出来るなど、第１領域と比べて高い位置に噴射部９１を設けたことのメリットが得られる。
【００６７】
第１実施形態では、第１領域と比べて高い位置に噴射部９１が設けられる形態を説明した。
第２実施形態〜第６実施形態では、第１領域と比べて同じか低い位置に噴射部９１が設けられる形態について説明する。
【００６８】
（第２実施形態）
第２実施形態におけるアンテナ装置１は、ルーフ１００など車両の上面に取り付けられ、アンテナケース２、アンテナ部３、カメラ４、ベース５、取付金具７を備える。
第２実施形態における当該車両は、アンテナ装置１と、さらに、ルーフ１００上であってアンテナ装置１と離れた位置に設けられ、アンテナ装置１におけるカメラ用開口２１とレンズ４３の少なくとも一方がある領域に向けて、液体と気体の少なくとも一方（噴射媒体）を噴射させるウォッシャー９とを備える（図７〜図１０参照）。
【００６９】
アンテナケース２は、アンテナ装置１を構成する部材を覆う部材で、外装ケース２ａ、外装パッド２ｂ、内装ケース２ｃを有する。
外装ケース２ａと内装ケース２ｃとで、いわゆる二重ケース構造となっており、内装ケース２ｃとベース５とカメラ４とで、少なくともベース５の上面における防水が確保される。
【００７０】
外装ケース２ａは、非透光性と電波透過性を有する合成樹脂製（ポリカーボネート（Polycarbonate）とＡＳＡ（Acrylate Styrene Acrylonitrile）を含む合成樹脂などで形成された樹脂成型品）であり、例えば、ｘ方向前側がｘ方向後側よりも低くなるように傾斜し、両側面が内側に湾曲したシャークフィン形状を有する。
外装ケース２ａは、下面が開口し、アンテナ装置１を構成する部材であって、外装ケース２ａ以外のもの（内装ケース２ｃ、アンテナ部３、カメラ４など）を、ｚ方向上方から覆う。
【００７１】
外装ケース２ａには、内壁からｚ方向下方に突出するように、ベース５への取り付け用の第１係止爪２ａ１が設けられ、外装ケース２ａをベース５に固定する際に、第１係止爪２ａ１は、ベース５に設けられた第２係止爪５ａと係合する。
【００７２】
外装ケース２ａの背面には、レンズ４３に光を入射させて、車両の後方を撮影するため、後述するカメラ本体４１のレンズ４３及びその近傍を覆わないように、カメラ用開口２１が設けられる。
【００７３】
カメラ用開口２１は、外装ケース２ａの背面における左右略中心を通るｘｚ平面上に設けられる。
カメラ用開口２１が、外装ケース２ａの背面における左右略中心を通るｘｚ平面上を通る位置関係に配置されるため、当該左右略中心から撮影が可能になり、左右のバランスが取れた状態で広範囲の画像を撮影することが可能になる。
また、カメラ用開口２１が、外装ケース２ａの背面における左右略中心からずれたｘｚ平面上を通る位置関係に配置される形態に比べて、外装ケース２ａの背面における左右略中心を通るｘｚ平面上にカメラ本体４１など大きな部材を配置出来るので、アンテナ装置１を低背化しやすい。
【００７４】
外装パッド２ｂは、エラストマー（Elastomer）やゴムなどで形成された環状の弾性部材であり、外装ケース２ａの下端周縁部に嵌入され、外装ケース２ａの下端周縁部と車両との間の隙間の目隠しとして機能する。
外装パッド２ｂの下端であって、ｘ方向後側の端部には、外装ケース２ａとルーフ１００の間に浸入した水の排出口として、排水切欠き２ｂ１が設けられる。
【００７５】
内装ケース２ｃは、下面と背面が開口し、アンテナ部３におけるアンテナケーブル３５の一部（アンテナ基板３３と接続される部分とベース開口５ｂに挿入される部分の間の領域）と、アンテナ素子３１と、カメラ４におけるカメラケーブル４５の一部（カメラ本体４１と接続される部分とベース開口５ｂに挿入される部分の間の領域）を、ｚ方向上方から覆う。
【００７６】
内装ケース２ｃの背面における開口した部分には、ブラケット２ｃ１とパッキンを介して、カメラ本体４１が取り付けられ、当該ブラケット２ｃ１と当該パッキンによって、内装ケース２ｃとカメラ本体４１の間が密閉される。
【００７７】
内装ケース２ｃは、非透光性と電波透過性を有する合成樹脂製（ポリカーボネート（Polycarbonate）とＡＳＡ（Acrylate Styrene Acrylonitrile）を含む合成樹脂などで形成された樹脂成型品）である。
内装ケース２ｃの下端部には、ベース５とネジ止めするために使用されるネジ孔が設けられる。
【００７８】
アンテナ部３は、アンテナ素子３１、アンテナ基板３３、アンテナケーブル３５を有する。
【００７９】
アンテナ素子３１は、衛星放送受信用やＧＰＳ受信用やデジタル放送受信用の平面アンテナなどで構成される形態であってもよいし、ＡＭ／ＦＭ放送の受信用に容量装荷素子などの上部エレメントと波長短縮素子などの下部エレメントとで構成される形態であってもよいし、Ｖ２Ｘ（車車間・路車間通信）用や通信端末用のアンテナなどで構成される形態であってもよく、アンテナ基板３３などを介してベース５に取り付けられる。
第２実施形態では、ベース５にアンテナ基板３３が取り付けられ、無給電素子が上面に配置され、受信周波数が２．４ＧＨｚであるパッチアンテナを含むアンテナ素子３１がアンテナ基板３３に実装される形態を説明するが、アンテナ素子３１は、内装ケース２ｃ若しくは外装ケース２ａの内壁に取り付けられる形態であってもよい。
【００８０】
アンテナケーブル３５は、アンテナ基板３３に設けられたアンテナアンプに電力を供給したり、アンテナ素子３１で得られた信号を出力したりするために使用される。
アンテナ基板３３から延びるアンテナケーブル３５は、ベース開口５ｂ、第１開口１０１を通って、ルーフ１００のｚ方向下方に延びる。
【００８１】
カメラ４は、ＣＭＯＳなどの撮像素子を含むカメラ本体４１、レンズ４３、カメラケーブル４５、カバー４７を有する。
カメラ４は、カメラ本体４１における撮像素子の撮像面が車両の後方を向くように配置される。
カメラ本体４１で得られる画像信号は、動画像に対応するものであっても静止画像に対応するものであってもよい。
カメラ本体４１における、回路基板や撮像素子を保持すると共に、レンズ４３が設けられる略ｘ方向後側以外を覆う筐体は、シールド導体を兼ねた金属（例えば、アルミニウム）で構成される。
【００８２】
カメラ本体４１の略ｘ方向後側には、撮像素子の撮像面と対向するようにレンズ４３が設けられる。
カメラ用開口２１を介して、カメラ本体４１のレンズ４３に当該後方からの光が入射する。
カメラ本体４１とレンズ４３は、外装ケース２ａのカメラ用開口２１と対向する位置、すなわち、外装ケース２ａの背面における左右略中心を通るｘｚ平面上で且つカメラ用開口２１と同じ高さの位置になるように、配置される。
カメラ用開口２１、カメラ本体４１、及びレンズ４３が、いずれも外装ケース２ａの背面における左右略中心を通るｘｚ平面上を通り、略同じ高さの位置関係に配置されるため、カメラ用開口２１からレンズ４３に光を導く導光路を設ける必要がなく、必要最小限の大きさでアンテナ装置１にカメラ４を構成することが可能になる。
【００８３】
ただし、カメラ本体４１とレンズ４３が、外装ケース２ａのカメラ用開口２１と対向しない位置に配置される形態であってもよい。
この場合には、カメラ用開口２１とレンズ４３の間を連結する筒状の導光路が設けられ、当該導光路の中にミラーなどの導光部材が設けられる形態であってもよい。
これによって、アンテナ装置１内におけるカメラ本体４１などの配置の自由度を高めることが出来る。
後述するウォッシャー９の噴射部９１から、当該導光部を介して、レンズ４３がある領域まで、噴射媒体が噴射される。
【００８４】
カメラ本体４１に電力や制御信号を供給したり、カメラ本体４１で得られた画像信号を出力したりするために使用されるカメラケーブル４５は、カメラ本体４１の略ｘ方向前側から、パッキン、ブラケット２ｃ１、内装ケース２ｃ、ベース開口５ｂ、第１開口１０１を通って、ルーフ１００のｚ方向下方に延びる。
【００８５】
カメラ本体４１から延びるカメラケーブル４５は、撮像素子の撮像面に垂直な略ｘ方向で且つ略ｘ方向前側に直線的に延び、ベース開口５ｂの上方近傍でｚ方向下側に折り曲げられてｚ方向下側に延びる。
【００８６】
レンズ４３の略ｘ方向後側と側面を覆う領域には、レンズ４３の保護のため、透光性を有する合成樹脂で形成されたカバー４７が設けられる。
カバー４７は、カメラ本体４１とでレンズ４３を密閉するように、カメラ本体４１にネジ４７ａなどで着脱可能な状態で取り付けられる。
すなわち、カメラ用開口２１とレンズ４３の間には、カバー４７が配置される。
【００８７】
なお、レンズ４３がカバー４７で覆われる形態を説明するが、カメラ用開口２１がカバー４７で覆われる形態や、カメラ用開口２１とレンズ４３がカバー４７で覆われる形態であってもよい。
また、カバー４７は、カメラ本体４１に取り付けられる形態に限らず、外装ケース２ａ（の内壁など）に取り付けられる形態であってもよい。
【００８８】
ベース５は、アルミニウム等の金属製ベースで、略矩形形状を有する。
ベース５は、外装ケース２ａの第１係止爪２ａ１と係合して外装ケース２ａを係止する第２係止爪５ａを外周部に有する。
【００８９】
ベース５の上面には、アンテナ基板３３と内装ケース２ｃが取り付けられる。
ベース５には、ベース開口５ｂが設けられ、アンテナケーブル３５とカメラケーブル４５は、ベース開口５ｂを通って、アンテナ装置１からルーフ１００のｚ方向下側に延びる。
【００９０】
カメラ本体４１は、不図示のアースプレートを介して、ベース５に接続され、カメラ本体４１が接地される。
カメラ本体４１とベース５とのアース接続は、ブラケット２ｃ１若しくはカメラケーブル４５を介して行われる形態であってもよい。
【００９１】
なお、ベース５が樹脂で構成される形態であってもよい。
この場合、ベース５が金属で構成される形態に比べて、軽量化や低コスト化を実現しやすくなる。
また、ベース５が樹脂で構成される場合、カメラ本体４１の接地は、カメラケーブル４５の一部をルーフ１００に接続する、若しくは、プレート（不図示）を使ってカメラ本体４１の外部に設けられた基板（不図示）と接続することにより行われる。
【００９２】
車両のルーフ１００には、ベース５からｚ方向下方に延びるボルトなど取付部材とアンテナケーブル３５とカメラケーブル４５が通る第１開口１０１と、ウォッシャー９の噴射部９１若しくはホース９２が通る第２開口１０２とが設けられる。
ベース５のルーフ１００の上面への固定は、キャプチャーファスナーや爪付きワッシャーやナットなどの取付金具７を使って行われる。
噴射部９１のルーフ１００の上面への固定は、噴射部９１に取り付けられたホース９２がルーフ１００の上方から第２開口１０２に挿入され、噴射部９１を第２開口１０２に掛け止めするなどして行われる。
【００９３】
ウォッシャー９は、水や洗浄液などの液体と空気などの気体の少なくとも一方（噴射媒体）を、カメラ本体４１の先端（ｘ方向後側端）に設けられた光学部材（カバー４７、レンズ４３）と、カメラ用開口２１の少なくとも一方がある領域（第１領域）に向けて噴射させる装置で、噴射部９１と、タンク（不図示）と、ポンプ（不図示）と、ホース９２を有する。
噴射部９１は、ルーフ１００上であって、カメラ用開口２１よりもｘ方向後側に設けられた第２開口１０２からｚ方向上方に突出するように設けられる。
タンクは、液体と気体の少なくとも一方で構成された噴射媒体を保管する。
ポンプは、当該タンクから噴射媒体を汲み出す。
ホース９２は、噴射部９１と接続され、当該ポンプによって汲み出された噴射媒体が通る。
ホース９２は、柔軟性がある樹脂、或いは、硬質な樹脂、或いは、これらの組み合わせで構成される。
【００９４】
噴射部９１は、カメラ本体４１よりも高さが低い位置に配置される。
噴射部９１は、カメラ本体４１の先端（ｘ方向後側端）に設けられた光学部材（カバー４７、レンズ４３）と、カメラ用開口２１の少なくとも一方がある領域（第１領域）、すなわち噴射媒体が噴射される領域と同じ高さか、当該領域よりも高さが低い位置に配置される。
第２実施形態〜第４実施形態、及び第６実施形態では、噴射部９１は、当該領域よりも高さが低い位置に配置され、第５実施形態では、噴射部９１は、当該領域と同じ高さの位置に配置される。
【００９５】
カメラ用開口２１の全面に、噴射媒体が吹き付けられるように、すなわち、カメラ用開口２１の全面を含み当該全面よりも広い領域に噴射媒体が吹き付けられるように、噴射口９１ａとカメラ本体４１の位置関係などが決定される。
【００９６】
第２実施形態では、外装ケース２ａよりもｘ方向後側で、且つ外装ケース２ａから離れた位置関係で、噴射部９１が車両のルーフ１００に取り付けられる。
また、カメラ４で撮像され、映像出力装置（不図示）で出力される画像に、噴射部９１が映り込まないように、噴射部９１とカメラ４の位置関係、カメラ４の画角、映像出力装置で表示する画像領域などが決定される。
【００９７】
噴射部９１から、カメラ本体４１の先端（ｘ方向後側端）に設けられた光学部材（カバー４７、レンズ４３）と、カメラ用開口２１の少なくとも一方がある領域（第１領域）、すなわちカバー４７（カバー４７が無い場合はレンズ４３）など、カメラ本体４１の撮像面側に設けられた光学部材に向けて噴射媒体が噴射され、これにより当該光学部材の汚れを洗浄したり当該光学部材に付着したゴミを除去したりすることが可能になる、すなわち、カメラ４で得られる画像をゴミや汚れが無い鮮明な画像にすることが可能になる。
【００９８】
カバー４７が設けられている場合には、カバー４７によって、カメラ本体４１やレンズ４３に噴射部９１から高圧の噴射媒体が当たらないため、カメラ本体４１やレンズ４３に直接噴射媒体が当たって、カメラ本体４１やレンズ４３が傷ついたり、噴射媒体がカメラ本体４１に浸入したりするのを防ぐことが出来る。
また、カバー４７は、着脱可能な状態で、カメラ本体４１に取り付けられるので、既存のカバー４７が傷ついたり汚れたりした場合などに、当該既存のカバー４７を新しいカバー４７に取り替えることも可能である。
【００９９】
噴射部９１が第１領域と比べて同じか低い位置に配置されるので、噴射媒体を横から若しくは下から当該領域に噴射させることが可能になり、ウォッシャー９の噴射部９１を当該領域よりも高い位置に配置して、噴射媒体を上から噴射させる形態に比べて、噴射媒体の経路（ホース９２の長さ）を短くすることが可能になる。
【０１００】
また、アンテナケース２から離れた位置に、噴射部９１やホース９２が設けられるので、噴射部９１やホース９２に流れる噴射媒体によるアンテナ素子３１の干渉を抑制することが出来る。
なお、アンテナ素子３１から第１距離ｄ１（アンテナ素子３１の受信周波数の略λ／４）よりも離れた位置に、噴射部９１やホース９２が設けられた場合には、噴射部９１がアンテナ素子３１よりもｚ方向上方に位置しても、噴射部９１やホース９２に流れる噴射媒体によってアンテナ素子３１の干渉が生じる可能性は少ない。
【０１０１】
また、噴射媒体として、温めた状態の液体若しくは気体を使えば、カメラ用開口２１がある領域が凍結していても、これを早期に融解させることが出来る。
【０１０２】
（第３実施形態）
次に、第３実施形態について説明する（図１１〜図１７参照）。
第２実施形態では、アンテナケース２から離れて、噴射部９１が配置されるが、第３実施形態では、アンテナケース２に噴射部９１が取り付けられる。
以下、第２実施形態と異なる点を中心に説明する。
【０１０３】
第３実施形態におけるアンテナ装置１は、ルーフ１００など車両の上面に取り付けられ、アンテナケース２、アンテナ部３、カメラ４、ベース５、取付金具７、ウォッシャー９を備え、第３実施形態における外装ケース２ａのｘ方向後側には、噴射部９１を保持するウォッシャー保持部２ｄが設けられる。
【０１０４】
ウォッシャー保持部２ｄは、噴射部９１が取り付けられる孔を有する底面部２ｄ１と、底面部２ｄ１におけるｙ方向右側端でｚ方向上方に延びる右側面部２ｄ２と、底面部２ｄ１におけるｙ方向左側端でｚ方向上方に延びる左側面部２ｄ３を有し、底面部２ｄ１におけるｘ方向前側端は、外装ケース２ａの背面に接続される。
【０１０５】
ウォッシャー保持部２ｄは、外装ケース２ａと一体的に構成される形態であってもよいし、別体で外装ケース２ａに取り付けられる形態であってもよい。
【０１０６】
外装パッド２ｂは、外装ケース２ａと対向する部分だけでなく、ウォッシャー保持部２ｄと対向する部分にも設けられ、ウォッシャー保持部２ｄの底面部２ｄ１における噴射部９１が取り付けられる孔に対向する位置にホース９２が通る孔を備える。
【０１０７】
右側面部２ｄ２及び左側面部２ｄ３における噴射部９１のｙ方向の側面が対向する領域が底面部２ｄ１よりもｚ方向上方に突出する量は、噴射部９１が底面部２ｄ１よりもｚ方向上方に突出する量よりも多くなるように、右側面部２ｄ２、左側面部２ｄ３、及び噴射部９１の大きさや位置関係が決定される。
【０１０８】
噴射部９１のルーフ１００の上面への固定は、噴射部９１に取り付けられたホース９２が、底面部２ｄ１の上方から、底面部２ｄ１の孔と外装パッド２ｂの孔とルーフ１００の第２開口１０２に挿入され、噴射部９１を底面部２ｄ１の孔に掛け止めするなどして行われる。
なお、第２開口１０２を設けずに、ホース９２を、ベース５の上であって、且つアンテナ素子３１よりもｚ方向下側の領域に配置して、ベース開口５ｂと第１開口１０１を通って、ルーフ１００のｚ方向下側に引き出される形態であってもよい。
【０１０９】
アンテナケース２に噴射部９１が取り付けられることにより、アンテナケース２から離れた位置に噴射部９１が設けられる形態に比べて、走行中の風が噴射部９１に当たりにくくなり、噴射部９１による風切り音の発生を抑制することが可能になる。
また、右側面部２ｄ２と左側面部２ｄ３により、噴射部９１のｙ方向の側面を覆うので、横風によって噴射部９１から噴射される噴射媒体がｙ方向にずれるのを防ぐことが可能になる。
また、ホース９２がアンテナケース２の内側を通るので、アンテナケース２の外側にホース９２が通る形態に比べて、アンテナケーブル３５などと一緒に配線しやすく出来る。
【０１１０】
（第４実施形態）
次に、第４実施形態について説明する（図１８〜図２２参照）。
第２実施形態では、アンテナケース２から離れて噴射部９１が構成され、第３実施形態では、外装ケース２ａの背面に設けられたウォッシャー保持部２ｄに噴射部９１が取り付けられるが、第４実施形態では、外装ケース２ａの背面に噴射部９１が取り付けられる。
以下、第２実施形態、及び第３実施形態と異なる点を中心に説明する。
【０１１１】
第４実施形態におけるアンテナ装置１は、ルーフ１００など車両の上面に取り付けられ、アンテナケース２、アンテナ部３、カメラ４、ベース５、取付金具７、ウォッシャー９を備え、第４実施形態における外装ケース２ａには、カメラ用開口２１に加えて、ウォッシャー用開口２２が設けられる。
【０１１２】
カメラ用開口２１は、外装ケース２ａの背面における左右略中心を通るｘｚ平面上に設けられ、ウォッシャー用開口２２は、外装ケース２ａの背面における左右略中心を通るｘｚ平面上であって、カメラ用開口２１よりも下方に設けられる。
噴射部９１は、先端（ノズルがある部分）が、ウォッシャー用開口２２からｘ方向後側に突出するように取り付けられる。
【０１１３】
ホース９２は、ベース５の上であって、アンテナ素子３１よりもｚ方向下側の領域を通り、ベース開口５ｂと第１開口１０１を通って、ルーフ１００のｚ方向下側に延びる。
従って、第４実施形態では、ルーフ１００に第２開口１０２は設けられない。
【０１１４】
第４実施形態では、アンテナケース２の内部に、噴射部９１とホース９２が配置され、ホース９２が第１開口１０１を通って配置されるため、ルーフ１００に設けた１つの開口（第１開口１０１）を使って、ウォッシャー９を含むアンテナ装置１をルーフ１００に取り付けることが可能になる。
【０１１５】
アンテナケース２に噴射部９１が設けられることにより、アンテナケース２から離れた位置に噴射部９１が設けられる形態に比べて、走行中の風が噴射部９１に当たりにくくなり、噴射部９１による風切り音の発生を抑制することが可能になる。
【０１１６】
ホース９２は、第１開口１０１を通って、ｚ方向下側に配線されるため、アンテナ素子３１とホース９２との距離ｄは短くなるが、ウォッシャー９（噴射部９１、ホース９２）はアンテナ素子３１よりもｚ方向下側に位置するため、噴射部９１やホース９２に流れる噴射媒体によるアンテナ素子３１の干渉を抑制することが出来る。
【０１１７】
（第５実施形態）
次に、第５実施形態について説明する（図２３〜図２４参照）。
第２実施形態〜第４実施形態では、カメラ用開口２１とカメラ本体４１とレンズ４３が、外装ケース２ａの背面における左右略中心を通るｘｚ平面上を通る位置関係に配置される形態を説明したが、第４実施形態では、カメラ用開口２１とカメラ本体４１とレンズ４３が、外装ケース２ａの背面における左右略中心からずれたｘｚ平面上を通る位置関係に配置される。
以下、第２実施形態〜第４実施形態と異なる点を中心に説明する。
【０１１８】
第５実施形態におけるアンテナ装置１は、ルーフ１００など車両の上面に取り付けられ、アンテナケース２、アンテナ部３、カメラ４、ベース５、取付金具７、ウォッシャー９を備え、第５実施形態におけるカメラ用開口２１とカメラ本体４１とレンズ４３は、外装ケース２ａの背面における左右略中心からｘ方向後側から見てｙ方向右側にずれたｘｚ平面上を通る位置関係に配置される。
【０１１９】
これにより、ｘ方向後側から見てｙ方向左側（カメラ４が設けられていない側）に空きスペースが出来るので、空きスペースに他の部品を配置することが可能になる。
例えば、ウォッシャー用開口２２を、カメラ用開口２１と同じ高さで、ｘ方向後側から見てｙ方向左側に設け、すなわち、噴射部９１を、カメラ用開口２１とレンズ４３の少なくとも一方がある領域と同じ高さに配置し、ｘ方向後側から見てｙ方向左側から噴射媒体をカメラ用開口２１（ｘ方向後側から見てｙ方向右側）に向けて噴射させることが可能になる。
この場合でも、噴射部９１やホース９２に流れる噴射媒体によるアンテナ素子３１の干渉を抑制するため、アンテナ素子３１から第１距離ｄ１（アンテナ素子３１の受信周波数の略λ／４）の範囲内では、噴射部９１やホース９２をアンテナ素子３１よりも高さが低い位置に配置するのが望ましい。
【０１２０】
（第６実施形態）
次に、第６実施形態について説明する（図２５〜図２６参照）。
第２実施形態〜第５実施形態では、噴射部９１のノズルがアンテナケース２の外側に配置され、アンテナケース２の外側からカメラ用開口２１とレンズ４３の少なくとも一方がある領域に向けて噴射媒体が噴射されるが、第６実施形態では、噴射部９１のノズルがアンテナケース２の内側に配置され、アンテナケース２の内側（外装ケース２ａと内装ケース２ｃの間の領域）でレンズ４３がある領域に向けて噴射媒体が噴射される。
以下、第５実施形態と異なる点を中心に説明する。
【０１２１】
第６実施形態におけるアンテナ装置１は、ルーフ１００など車両の上面に取り付けられ、アンテナケース２、アンテナ部３、カメラ４、ベース５、取付金具７、ウォッシャー９を備える。
第６実施形態における内装ケース２ｃとベース５の間、内装ケース２ｃとカメラ本体４１の間、及びカメラ本体４１とカバー４７の間は、パッキンや防水パッドを用いて、防水可能な密閉構造とされる（第１実施形態〜第５実施形態における当該領域についても、防水可能な密閉構造とされていてもよい）。
少なくとも先端のノズルが、外装ケース２ａと内装ケース２ｃの間に配置された状態で、噴射部９１は外装ケース２ａから離れてベース５などに取り付けられる。
第６実施形態では、第５実施形態と比べて、外装ケース２ａの背面の下部は、ｘ方向後側に突出した形状を有し、カバー４７は、噴射部９１のノズルよりもｘ方向前側に位置するように配置される。
【０１２２】
これにより、外部から見えにくい状態で、アンテナ装置１にカメラ４の洗浄のためのウォッシャー９を配置することが可能になって、アンテナ装置１の見栄えが良くなる。
また、ウォッシャー９から発せられる噴射媒体がアンテナ装置１の外部に飛散するのを抑えることも出来る。
噴射部９１から発せられる噴射媒体の一部は、カバー４７で反射して外装ケース２ａの内部に落ちる可能性があるが、アンテナ素子３１やカメラ本体４１の撮像素子などの電子部品が配置された内装ケース２ｃとベース５の間の密閉空間（二重ケース構造の内側空間）には浸入せず、排水切欠き２ｂ１を介して外装ケース２ａの外側に排出される。
【０１２３】
なお、第２実施形態〜第６実施形態では、アンテナ素子３１がｘ方向前側に配置され、カメラ本体４１がｘ方向後側に配置され、カメラ本体４１よりもｘ方向後側にウォッシャー９が配置される形態を説明したが、アンテナ素子３１とカメラ本体４１の位置関係はこれに限るものではなく、例えば、アンテナ素子３１がｘ方向後側に配置され、撮像素子の撮像面が車両の前方を向くカメラ本体４１がｘ方向前側に配置される形態であってもよい。
この場合には、ウォッシャー９は、カメラ本体４１よりもｘ方向前側に配置される。
【０１２４】
また、第２実施形態〜第６実施形態では、アンテナ素子３１を含むアンテナ装置１を例として、アンテナ装置１のアンテナケース２に、カメラ４のカメラ本体４１が設けられ、且つ第１領域と比べて同じか低い位置関係でウォッシャー９の噴射部９１が設けられる形態を説明したが、アンテナ素子３１を含まない車載撮影装置（例えば、車載後方撮影装置）のケースに、カメラ本体４１が設けられ、且つ第１領域と比べて同じか低い位置関係で噴射部９１が設けられる形態であってもよい。
【０１２５】
この場合でも、第１領域（カメラ本体４１の先端（ｘ方向後側端）に設けられた光学部材（カバー４７、レンズ４３）と、カメラ用開口２１の少なくとも一方がある領域に横から若しくは下から噴射媒体を吹き付けることが出来るなど、第１領域と比べて同じか低い位置に噴射部９１を設けたことのメリットが得られる。
【０１２６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１２７】
１  アンテナ装置
２  アンテナケース
２ａ  外装ケース
２ａ１  第１係止爪
２ｂ  外装パッド
２ｂ１  排水切欠き
２ｃ  内装ケース
２ｃ１  ブラケット
２ｄ  ウォッシャー保持部
２ｄ１  底面部
２ｄ２  右側面部
２ｄ３  左側面部
２１  カメラ用開口
２２  ウォッシャー用開口
３  アンテナ部
３１  アンテナ素子
３３  アンテナ基板
３５  アンテナケーブル
４  カメラ
４１  カメラ本体
４３  レンズ
４５  カメラケーブル
４７  カバー
４７ａ  ネジ
５  ベース
５ａ  第２係止爪
５ｂ  ベース開口
７  取付金具
９  ウォッシャー
９１  噴射部
９２  ホース
１００  ルーフ
１０１  第１開口
１０２  第２開口
ｄ  アンテナ素子と噴射部やホースの距離
ｄ１  第１距離
【図１】
2018199108.tif 000003
【図２】
2018199108.tif 000004
【図３】
2018199108.tif 000005
【図４】
2018199108.tif 000006
【図５】
2018199108.tif 000007
【図６】
2018199108.tif 000008
【図７】
2018199108.tif 000009
【図８】
2018199108.tif 000010
【図９】
2018199108.tif 000011
【図１０】
2018199108.tif 000012
【図１１】
2018199108.tif 000013
【図１２】
2018199108.tif 000014
【図１３】
2018199108.tif 000015
【図１４】
2018199108.tif 000016
【図１５】
2018199108.tif 000017
【図１６】
2018199108.tif 000018
【図１７】
2018199108.tif 000019
【図１８】
2018199108.tif 000020
【図１９】
2018199108.tif 000021
【図２０】
2018199108.tif 000022
【図２１】
2018199108.tif 000023
【図２２】
2018199108.tif 000024
【図２３】
2018199108.tif 000025
【図２４】
2018199108.tif 000026
【図２５】
2018199108.tif 000027
【図２６】
2018199108.tif 000028
【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
アンテナ素子を有するアンテナ部と、
カメラと、
カメラ用開口を有し、前記アンテナ部と前記カメラとを覆う外装ケースと、
前記カメラに設けられた光学部材と前記カメラ用開口の少なくとも一方がある第１領域に、噴射媒体を噴射させるウォッシャーと、
ブラケットと、
内装ケースとを備え、
前記ウォッシャーにおける噴射部は、前記第１領域よりも高い位置に配置され、
前記ブラケットは、上方で前記噴射部を保持し、下方で前記カメラを保持し、
前記内装ケースは、前記外装ケースの内側に配置され、
前記内装ケースには、前記ブラケットを介して、前記噴射部と前記カメラが取り付けられる、アンテナ装置。
【請求項２】
（削除）
【請求項３】
前記噴射部は、前記噴射媒体が前記カメラ用開口の全面に吹き付けられるように噴射する、請求項１に記載のアンテナ装置。
【請求項４】
（削除）
【請求項５】
アンテナ素子を有するアンテナ部と、
カメラと、
カメラ用開口を有し、前記アンテナ部と前記カメラとを覆う外装ケースと、
前記カメラに設けられた光学部材と前記カメラ用開口の少なくとも一方がある第１領域に、噴射媒体を噴射させるウォッシャーとを備え、
前記ウォッシャーにおける噴射部は、前記第１領域と同じ高さか、前記第１領域よりも低い位置に配置され、
前記ウォッシャーにおける、前記噴射部と接続され前記噴射媒体が通るホースは、前記外装ケースの内側を通る、アンテナ装置。
【請求項６】
前記アンテナ素子は、前記ウォッシャーよりも高い位置に配置される、請求項５に記載のアンテナ装置。
【請求項７】
アンテナ素子を有するアンテナ部と、カメラと、カメラ用開口を有し、前記アンテナ部と前記カメラとを覆う外装ケースと、前記カメラに設けられた光学部材と前記カメラ用開口の少なくとも一方がある第１領域に、噴射媒体を噴射させるウォッシャーとを有するアンテナ装置を備え、
前記ウォッシャーにおける噴射部は、前記第１領域と同じ高さか、前記第１領域よりも低い位置に配置され、
前記ウォッシャーにおける、前記噴射部と接続され前記噴射媒体が通るホースは、前記外装ケースの内側を通る、車両。
【請求項８】
（削除）
【請求項９】
アンテナ素子を有するアンテナ部と、カメラと、カメラ用開口を有し、前記アンテナ部と前記カメラとを覆う外装ケースと、前記カメラに設けられた光学部材と前記カメラ用開口の少なくとも一方がある第１領域に、噴射媒体を噴射させるウォッシャーと、ブラケットと、内装ケースとを有するアンテナ装置を備え、
前記ウォッシャーにおける噴射部は、前記第１領域よりも高い位置に配置され、
前記ブラケットは、上方で前記噴射部を保持し、下方で前記カメラを保持し、
前記内装ケースは、前記外装ケースの内側に配置され、
前記内装ケースには、前記ブラケットを介して、前記噴射部と前記カメラが取り付けられる、車両。
【国際調査報告】
2018199108.tif 000029
2018199108.tif 000030
2018199108.tif 000031
2018199108.tif 000032
2018199108.tif 000033
2018199108.tif 000034